(57)【特許請求の範囲】
【請求項１】
被写体の放射線画像情報が蓄積記録されている蓄積性蛍光体シートに励起光を走査し、該励起光の走査により前記シートから発光された輝尽発光光を光電変換手段により光電的に読み取って画像信号を得、該画像信号をログアンプにより対数変換し、該対数化された画像信号をＡ／Ｄ変換器によりデジタル画像データに変換して出力する放射線画像情報読取装置において、
前記光電変換手段に基準となる光量の光を入力する基準光入力手段と、
前記ログアンプに基準となる電流を入力する基準電流入力手段と、
前記Ａ／Ｄ変換器に基準となる電圧を入力する基準電圧入力手段と、
前記Ａ／Ｄ変換器によりデジタル変換されたデジタル画像データを検出する検出手段と、
前記基準光入力手段により前記光電変換手段に前記基準となる光量の光を入力したときの前記検出手段による検出結果、前記基準電流入力手段により前記ログアンプに前記基準となる電流を入力したときの前記検出手段による検出結果、および前記基準電圧入力手段により前記Ａ／Ｄ変換器に前記基準となる電圧を入力したときの前記検出手段による検出結果に基づいて、前記光電変換手段、ログアンプまたはＡ／Ｄ変換器のうち故障の機器を判定する判定手段とを備えたことを特徴とする放射線画像情報読取装置。
【請求項２】
被写体の放射線画像情報が蓄積記録されている蓄積性蛍光体シートに励起光を走査し、該励起光の走査により前記シートから発光された輝尽発光光を光電変換手段により光電的に読み取って画像信号を得、該画像信号をログアンプにより対数変換し、該対数化された画像信号をＡ／Ｄ変換器によりデジタル画像データに変換して出力する放射線画像情報読取装置において、
前記光電変換手段に基準となる光量の光を入力する基準光入力手段と、
前記光電変換手段による光電変換後の画像信号を検出する第１の検出手段と、
前記ログアンプに基準となる電流を入力する基準電流入力手段と、
前記ログアンプにより対数変換された対数化画像信号を検出する第２の検出手段と、
前記Ａ／Ｄ変換器に基準となる電圧を入力する基準電圧入力手段と、
前記Ａ／Ｄ変換器によりデジタル変換されたデジタル画像データを検出する第３の検出手段と、
前記基準光入力手段により前記光電変換手段に前記基準となる光量の光を入力したときの前記第１の検出手段による検出結果、前記基準電流入力手段により前記ログアンプに前記基準となる電流を入力したときの前記第２の検出手段による検出結果、および前記基準電圧入力手段により前記Ａ／Ｄ変換器に前記基準となる電圧を入力したときの前記第３の検出手段による検出結果に基づいて、前記光電変換手段、ログアンプまたはＡ／Ｄ変換器のうち故障の機器を判定する判定手段とを備えたことを特徴とする放射線画像情報読取装置。
【請求項３】
被写体の放射線画像情報が蓄積記録されている蓄積性蛍光体シートに励起光を走査し、該励起光の走査により前記シートから発光された輝尽発光光を光電変換手段により光電的に読み取って画像信号を得、該画像信号をログアンプにより対数変換し、該対数化された画像信号をＡ／Ｄ変換器によりデジタル画像データに変換し、該デジタル画像データをメモリにより一時的に記憶せしめて出力する放射線画像情報読取装置において、
前記光電変換手段に基準となる光量の光を入力する基準光入力手段と、
前記ログアンプに基準となる電流を入力する基準電流入力手段と、
前記Ａ／Ｄ変換器に基準となる電圧を入力する基準電圧入力手段と、
前記メモリに基準となる電気信号を入力する基準信号入力手段と、
前記メモリにより一時記憶されたデジタル画像データを検出する検出手段と、
前記基準光入力手段により前記光電変換手段に前記基準となる光量の光を入力したときの前記検出手段による検出結果、前記基準電流入力手段により前記ログアンプに前記基準となる電流を入力したときの前記検出手段による検出結果、前記基準電圧入力手段により前記Ａ／Ｄ変換器に前記基準となる電圧を入力したときの前記検出手段による検出結果、および前記基準信号入力手段により前記メモリに前記基準となる電気信号を入力したときの前記検出手段による検出結果に基づいて、前記光電変換手段、ログアンプ、Ａ／Ｄ変換器またはメモリのうち故障の機器を判定する判定手段とを備えたことを特徴とする放射線画像情報読取装置。
【請求項４】
被写体の放射線画像情報が蓄積記録されている蓄積性蛍光体シートに励起光を走査し、該励起光の走査により前記シートから発光された輝尽発光光を光電変換手段により光電的に読み取って画像信号を得、該画像信号をログアンプにより対数変換し、該対数化された画像信号をＡ／Ｄ変換器によりデジタル画像データに変換し、該デジタル画像データをメモリにより一時的に記憶せしめて出力する放射線画像情報読取装置において、
前記光電変換手段に基準となる光量の光を入力する基準光入力手段と、
前記光電変換手段による光電変換後の画像信号を検出する第１の検出手段と、
前記ログアンプに基準となる電流を入力する基準電流入力手段と、
前記ログアンプにより対数変換された対数化画像信号を検出する第２の検出手段と、
前記Ａ／Ｄ変換器に基準となる電圧を入力する基準電圧入力手段と、
前記Ａ／Ｄ変換器によりデジタル変換されたデジタル画像データを検出する第３の検出手段と、
前記メモリに基準となる電気信号を入力する基準信号入力手段と、
前記メモリにより一時記憶されたデジタル画像データを検出する第４の検出手段と、
前記基準光入力手段により前記光電変換手段に前記基準となる光量の光を入力したときの前記第１の検出手段による検出結果、前記基準電流入力手段により前記ログアンプに前記基準となる電流を入力したときの前記第２の検出手段による検出結果、前記基準電圧入力手段により前記Ａ／Ｄ変換器に前記基準となる電圧を入力したときの前記第３の検出手段による検出結果、および前記基準信号入力手段により前記メモリに前記基準となる電気信号を入力したときの前記第４の検出手段による検出結果に基づいて、前記光電変換手段、ログアンプ、Ａ／Ｄ変換器またはメモリのうち故障の機器を判定する判定手段とを備えたことを特徴とする放射線画像情報読取装置。
【発明の詳細な説明】
【０００１】
【発明の属する技術分野】
本発明は放射線画像情報読取装置に関し、詳細に自己診断機能を有する放射線画像情報読取装置に関するものである。
【０００２】
【従来の技術】
Ｘ線、電子線等の放射線を照射すると、この放射線のエネルギーの一部が蓄積され、その蓄積された部分に可視光、レーザー光等の励起光を照射すると蓄積されたエネルギーに応じた輝尽発光を示す蓄積性蛍光体（輝尽性蛍光体）の性質を利用して、支持体にこの蓄積性蛍光体の層を積層したシート状の蓄積性蛍光体シート（以下、単に「ＩＰ（イメージング・プレート ）」と称することもある）に人体等の被写体の放射線画像情報を一旦記録し、その後、このシートにレーザー光を走査して輝尽発光光を生じせしめ、この輝尽発光光を光電的に読み取って画素ごとの電気的な画像信号を得、得られた画像信号に基づいて写真感光材料等の記録媒体、ＣＲＴ等の表示装置に前記被写体の放射線画像を可視像として出力させる放射線画像情報記録再生システムがすでによく知られている（特開昭55-12429号、同56-11395号、同56-11397号など）。
【０００３】
このシステムは銀塩フイルムを用いた従来の放射線写真システムと比較して極めて広い放射線露光行きに亘って画像を記録し得るという実用的な利点を有しており、ＣＲ（コンピューテッド・ラジオグラフィ）と称されて特に医療分野において幅広く実用化されている。
【０００４】
なお、上述の放射線画像情報記録再生システムにおいて、特に励起光をＩＰに照射して輝尽発光光を読み取り、画像信号を出力するまでの機能を有する装置を放射線画像情報読取装置または放射線画像読取装置という。
【０００５】
【発明が解決しようとする課題】
上述の放射線画像情報読取装置乃至放射線画像情報記録再生システムは、輝尽発光光を光ガイドを介してＰＭＴ（フォトマルチプライヤ）等の光電変換手段に導光して電気信号に変換し、これをログアンプにより対数変換し、得られた信号をＡ／Ｄ変換器でデジタル信号化し、可視画像として出力する前に一旦メモリにこの画像信号を格納する（このメモリについては必須の構成ではない）、という一連の処理をなす。
【０００６】
ところで、これらの構成要素のうちいずれか１つまたは２つ以上の要素に故障が発生した場合は、ＩＰには正常な放射線画像情報が記録されているにも拘らず、最終的にフイルム等に対応する可視像が再生されず、ノイズが発生し、または所定の濃度域に異常が認められる等の再生異常が発生することになる。
【０００７】
この場合、再生された画像を見た医師または放射線撮影技師等は、その画像の異常が、被写体自体の疾病等に起因するものであるか、放射線画像の撮影失敗によるものであるか、または読取装置の故障によるものであるかの判断をしなければならない。すなわち、前二者の場合は再撮影を行なうことが必要であるのに対し、後者の場合は再撮影の必要はないからである。
【０００８】
また後者の場合においても、読取装置の故障箇所を早急に特定して修理することが必要である。
【０００９】
本発明は上記事情に鑑みなされたものであって、放射線画像情報読取装置の処理段階のどの要素に故障が発生したかを容易に特定することができる放射線画像情報読取装置を提供することを目的とするものである。
【００１０】
【課題を解決するための手段】
本発明の第１の放射線画像情報読取装置は、基準となる光を入力したときの各構成要素の出力値を検出することによって、異常の構成要素を判定するものであることを特徴とする。
【００１１】
すなわち本発明の第１の放射線画像情報読取装置は、被写体の放射線画像情報が蓄積記録されている蓄積性蛍光体シートにレーザー光等の励起光を走査し、この励起光の走査により蓄積性蛍光体シートから発光された輝尽発光光をＰＭＴ等の光電変換手段により光電的に読み取って画像信号を得、得られた画像信号をログアンプにより対数変換し、得られた対数化された画像信号をＡ／Ｄ変換器によりデジタル画像データに変換して出力する放射線画像情報読取装置において、
光電変換手段に基準となる光量の光（ＬＥＤ、その他の光源により発せられる光）を入力する基準光入力手段と、
光電変換手段による光電変換後の画像信号を検出する第１の検出手段と、
ログアンプにより対数変換された対数化画像信号を検出する第２の検出手段と、
Ａ／Ｄ変換器によりデジタル変換されたデジタル画像データを検出する第３の検出手段と、
基準光入力手段により光電変換手段に基準となる光量の光を入力したときの、第１の検出手段、第２の検出手段および第３の検出手段による検出結果に基づいて、光電変換手段、ログアンプまたはＡ／Ｄ変換器のうち故障の機器を判定する判定手段とを備えたことを特徴とするものである。
【００１２】
具体的には、光電変換手段が正常であれば、基準となる光量の光が入力された場合の第１の検出手段による検出結果は、予め想定される出力値となり、光電変換手段が異常であれば第１の検出手段による検出結果は、予め想定される出力値とは異なる値となる。これにより判定手段が光電変換手段の正常または異常を判定することができる。
【００１３】
またログアンプへの入力電流は光変換手段の出力値であるから第１の検出手段により検出された値であり、このログアンプへの入力電流が既知であることからログアンプの出力値も予め想定される。したがってログアンプが正常であれば第２の検出手段による検出結果は予め想定される出力値となり、ログアンプが異常であれば第２の検出手段による検出結果は予め想定される出力値とは異なる値となる。これにより判定手段がログアンプの正常または異常を判定することができる。以下、Ａ／Ｄ変換器についても第２の検出手段による検出結果と第３の検出手段による検出結果とから、正常または異常を判定することができる。
【００１４】
本発明の第２の放射線画像情報読取装置は第１の装置とは反対に、各構成要素に対してそれぞれ基準となる光、電流または電圧を入力したときの最終的な出力値を検出することによって、異常の構成要素を判定するものであることを特徴とする。
【００１５】
すなわち本発明の第２の放射線画像情報読取装置は、被写体の放射線画像情報が蓄積記録されている蓄積性蛍光体シートに励起光を走査し、該励起光の走査により前記シートから発光された輝尽発光光を光電変換手段により光電的に読み取って画像信号を得、該画像信号をログアンプにより対数変換し、該対数化された画像信号をＡ／Ｄ変換器によりデジタル画像データに変換して出力する放射線画像情報読取装置において、
前記光電変換手段に基準となる光量の光を入力する基準光入力手段と、
前記ログアンプに基準となる電流を入力する基準電流入力手段と、
前記Ａ／Ｄ変換器に基準となる電圧を入力する基準電圧入力手段と、
前記Ａ／Ｄ変換器によりデジタル変換されたデジタル画像データを検出する検出手段と、
前記基準光入力手段により前記光電変換手段に前記基準となる光量の光を入力したときの前記検出手段による検出結果、前記基準電流入力手段により前記ログアンプに前記基準となる電流を入力したときの前記検出手段による検出結果、および前記基準電圧入力手段により前記Ａ／Ｄ変換器に前記基準となる電圧を入力したときの前記検出手段による検出結果に基づいて、前記光電変換手段、ログアンプまたはＡ／Ｄ変換器のうち故障の機器を判定する判定手段とを備えたことを特徴とするものである。
【００１６】
具体的には、Ａ／Ｄ変換器に基準となる電圧を入力したときの検出手段による検出結果が予め想定された出力値であればＡ／Ｄ変換器は正常であり、想定された出力値でなければＡ／Ｄ変換器は異常であると判定することができる。またＡ／Ｄ変換器が正常である場合において、ログアンプに基準となる電流を入力したときの検出手段による検出結果が予め想定された出力値であればログアンプは正常であり、想定された出力値でなければログアンプは異常であると判定することができる。なおＡ／Ｄ変換器が異常である場合には、予めＡ／Ｄ変換器を正常なものに交換しておく必要がある。同様にＡ／Ｄ変換器およびログアンプが共に正常である場合において、光電変換手段に基準となる光を入力したときの検出手段による検出結果が予め想定された出力値であれば光電変換手段は正常であり、想定された出力値でなければ光電変換手段は異常であると判定することができる。この場合も、Ａ／Ｄ変換器またはログアンプが異常である場合には、予めこれらを正常なものに交換しておく必要がある。
【００１７】
本発明の第３の放射線画像情報読取装置は第２の装置と同様に、各構成要素に対してそれぞれ基準となる光、電流または電圧を入力したときの最終的な出力値の状態に基づいて、異常の構成要素を判定するものであるが、第２の装置が各入力に基づく最終的な出力値を検出手段が検出して、判定手段により自動的に異常構成要素を判定するのに対し、この第３の装置は最終的な出力値に基づいて画像再生手段により可視画像を提供するに止まるものであり、異常構成要素を特定する最終的な判定は、この可視画像を観察する医師や放射線画像撮影技師等に委ねるものである。
【００１８】
すなわち本発明の第３の放射線画像情報読取装置は、被写体の放射線画像情報が蓄積記録されている蓄積性蛍光体シートに励起光を走査し、該励起光の走査により前記シートから発光された輝尽発光光を光電変換手段により光電的に読み取って画像信号を得、該画像信号をログアンプにより対数変換し、該対数化された画像信号をＡ／Ｄ変換器によりデジタル画像データに変換して出力する放射線画像情報読取装置において、
前記光電変換手段に基準となる光量の光を入力する基準光入力手段と、
前記ログアンプに基準となる電流を入力する基準電流入力手段と、
前記Ａ／Ｄ変換器に基準となる電圧を入力する基準電圧入力手段と、
前記Ａ／Ｄ変換器によりデジタル変換されたデジタル画像データを可視画像として再生する画像再生手段とを備えたことを特徴とするものである。
【００１９】
画像再生手段としては、フイルム等の媒体に可視画像を出力するレーザープリンター（ＬＰ）等の画像出力手段やＣＲＴ等の画像表示手段等を用いることができる。
【００２０】
本発明の第４の放射線画像情報読取装置は第１の装置と第２の装置を組み合わせた構成であって、被写体の放射線画像情報が蓄積記録されている蓄積性蛍光体シートに励起光を走査し、該励起光の走査により前記シートから発光された輝尽発光光を光電変換手段により光電的に読み取って画像信号を得、該画像信号をログアンプにより対数変換し、該対数化された画像信号をＡ／Ｄ変換器によりデジタル画像データに変換して出力する放射線画像情報読取装置において、
前記光電変換手段に基準となる光量の光を入力する基準光入力手段と、
前記光電変換手段による光電変換後の画像信号を検出する第１の検出手段と、
前記ログアンプに基準となる電流を入力する基準電流入力手段と、
前記ログアンプにより対数変換された対数化画像信号を検出する第２の検出手段と、
前記Ａ／Ｄ変換器に基準となる電圧を入力する基準電圧入力手段と、
前記Ａ／Ｄ変換器によりデジタル変換されたデジタル画像データを検出する第３の検出手段と、
前記基準光入力手段により前記光電変換手段に前記基準となる光量の光を入力したときの前記第１の検出手段による検出結果、前記基準電流入力手段により前記ログアンプに前記基準となる電流を入力したときの前記第２の検出手段による検出結果、および前記基準電圧入力手段により前記Ａ／Ｄ変換器に前記基準となる電圧を入力したときの前記第３の検出手段による検出結果に基づいて、前記光電変換手段、ログアンプまたはＡ／Ｄ変換器のうち故障の機器を判定する判定手段とを備えたことを特徴とするものである。
【００２１】
本発明の第５の放射線画像情報読取装置は第１の装置に対してさらに、デジタル画像データを一時的に記憶せしめるメモリを備え、このメモリからの出力値をも加味して、異常の構成要素を判定するものであることを特徴とする。
【００２２】
すなわち本発明の第５の放射線画像情報読取装置は、被写体の放射線画像情報が蓄積記録されている蓄積性蛍光体シートに励起光を走査し、該励起光の走査により前記シートから発光された輝尽発光光を光電変換手段により光電的に読み取って画像信号を得、該画像信号をログアンプにより対数変換し、該対数化された画像信号をＡ／Ｄ変換器によりデジタル画像データに変換し、該デジタル画像データをメモリにより一時的に記憶せしめて出力する放射線画像情報読取装置において、
前記光電変換手段に基準となる光量の光を入力する基準光入力手段と、
前記光電変換手段による光電変換後の画像信号を検出する第１の検出手段と、
前記ログアンプにより対数変換された対数化画像信号を検出する第２の検出手段と、
前記Ａ／Ｄ変換器によりデジタル変換されたデジタル画像データを検出する第３の検出手段と、
前記メモリにより一時記憶されたデジタル画像データを検出する第４の検出手段と、
前記基準光入力手段により前記光電変換手段に前記基準となる光量の光を入力したときの、前記第１の検出手段、前記第２の検出手段、前記第３の検出手段および前記第４の検出手段による検出結果に基づいて、前記光電変換手段、ログアンプ、Ａ／Ｄ変換器またはメモリのうち故障の機器を判定する判定手段とを備えたことを特徴とするものである。
【００２３】
本発明の第６の放射線画像情報読取装置は第２の装置に対してさらに、デジタル画像データを一時的に記憶せしめるメモリを備え、このメモリへも基準となる信号を入力し、基準となる信号を入力したことも加味した最終的な出力値を検出することによって、異常の構成要素を判定するものであることを特徴とする。
【００２４】
すなわち本発明の第６の放射線画像情報読取装置は、被写体の放射線画像情報が蓄積記録されている蓄積性蛍光体シートに励起光を走査し、該励起光の走査により前記シートから発光された輝尽発光光を光電変換手段により光電的に読み取って画像信号を得、該画像信号をログアンプにより対数変換し、該対数化された画像信号をＡ／Ｄ変換器によりデジタル画像データに変換し、該デジタル画像データをメモリにより一時的に記憶せしめて出力する放射線画像情報読取装置において、
前記光電変換手段に基準となる光量の光を入力する基準光入力手段と、
前記ログアンプに基準となる電流を入力する基準電流入力手段と、
前記Ａ／Ｄ変換器に基準となる電圧を入力する基準電圧入力手段と、
前記メモリに基準となる電気信号を入力する基準信号入力手段と、
前記メモリにより一時記憶されたデジタル画像データを検出する検出手段と、
前記基準光入力手段により前記光電変換手段に前記基準となる光量の光を入力したときの前記検出手段による検出結果、前記基準電流入力手段により前記ログアンプに前記基準となる電流を入力したときの前記検出手段による検出結果、前記基準電圧入力手段により前記Ａ／Ｄ変換器に前記基準となる電圧を入力したときの前記検出手段による検出結果、および前記基準信号入力手段により前記メモリに前記基準となる電気信号を入力したときの前記検出手段による検出結果に基づいて、前記光電変換手段、ログアンプ、Ａ／Ｄ変換器またはメモリのうち故障の機器を判定する判定手段とを備えたことを特徴とするものである。
【００２５】
本発明の第７の放射線画像情報読取装置は、第３の装置に対してさらに、デジタル画像データを一時的に記憶せしめるメモリを備え、このメモリへも基準となる信号を入力し、このメモリからの最終的な出力値に基づいて画像再生手段により可視画像を提供するものである。
【００２６】
すなわち、本発明の第７の放射線画像情報読取装置は、被写体の放射線画像情報が蓄積記録されている蓄積性蛍光体シートに励起光を走査し、該励起光の走査により前記シートから発光された輝尽発光光を光電変換手段により光電的に読み取って画像信号を得、該画像信号をログアンプにより対数変換し、該対数化された画像信号をＡ／Ｄ変換器によりデジタル画像データに変換し、該デジタル画像データをメモリにより一時的に記憶せしめて出力する放射線画像情報読取装置において、
前記光電変換手段に基準となる光量の光を入力する基準光入力手段と、
前記ログアンプに基準となる電流を入力する基準電流入力手段と、
前記Ａ／Ｄ変換器に基準となる電圧を入力する基準電圧入力手段と、
前記メモリに基準となる電気信号を入力する基準信号入力手段と、
前記メモリにより一時記憶されたデジタル画像データを可視画像として再生する画像再生手段とを備えたことを特徴とするものである。
【００２７】
本発明の第８の放射線画像情報読取装置は第４の装置に対してさらに、デジタル画像データを一時的に記憶せしめるメモリを備え、第５の装置と第６の装置とを組み合わせた構成であって、被写体の放射線画像情報が蓄積記録されている蓄積性蛍光体シートに励起光を走査し、該励起光の走査により前記シートから発光された輝尽発光光を光電変換手段により光電的に読み取って画像信号を得、該画像信号をログアンプにより対数変換し、該対数化された画像信号をＡ／Ｄ変換器によりデジタル画像データに変換し、該デジタル画像データをメモリにより一時的に記憶せしめて出力する放射線画像情報読取装置において、
前記光電変換手段に基準となる光量の光を入力する基準光入力手段と、
前記光電変換手段による光電変換後の画像信号を検出する第１の検出手段と、
前記ログアンプに基準となる電流を入力する基準電流入力手段と、
前記ログアンプにより対数変換された対数化画像信号を検出する第２の検出手段と、
前記Ａ／Ｄ変換器に基準となる電圧を入力する基準電圧入力手段と、
前記Ａ／Ｄ変換器によりデジタル変換されたデジタル画像データを検出する第３の検出手段と、
前記メモリに基準となる電気信号を入力する基準信号入力手段と、
前記メモリにより一時記憶されたデジタル画像データを検出する第４の検出手段と、
前記基準光入力手段により前記光電変換手段に前記基準となる光量の光を入力したときの前記第１の検出手段による検出結果、前記基準電流入力手段により前記ログアンプに前記基準となる電流を入力したときの前記第２の検出手段による検出結果、前記基準電圧入力手段により前記Ａ／Ｄ変換器に前記基準となる電圧を入力したときの前記第３の検出手段による検出結果、および前記基準信号入力手段により前記メモリに前記基準となる電気信号を入力したときの前記第４の検出手段による検出結果に基づいて、前記光電変換手段、ログアンプ、Ａ／Ｄ変換器またはメモリのうち故障の機器を判定する判定手段とを備えたことを特徴とするものである。
【００２８】
【発明の効果】
本発明の第１の放射線画像情報読取装置によれば、基準となる光を入力したときの各構成要素の出力値を各検出手段により検出することによって、異常の構成要素を判定することができる。すなわち、基準となる光量の光が基準光入力手段により入力された場合の第１の検出手段による検出結果が予め想定される出力値であるときは光電変換手段は正常であり、一方、検出結果が予め想定される出力値でないときは光電変換手段は異常であると判定手段により判定することができる。
【００２９】
さらに第１の検出手段による検出結果はログアンプへの入力電流であることからログアンプへの入力電流は既知であり、第２の検出手段による検出結果を予め想定することができる。したがってこの検出結果が想定された値であればログアンプは正常であり、想定された値でなければログアンプは異常であると判定手段により判定することができる。さらにまた第２の検出手段による検出結果はＡ／Ｄ変換器への入力電圧であることからＡ／Ｄ変換器への入力電圧は既知であり、第３の検出手段による検出結果を予め想定することができる。したがってこの検出結果が想定された値であればＡ／Ｄ変換器は正常であり、想定された値でなければＡ／Ｄ変換器は異常であると判定手段により判定することができる。
【００３０】
本発明の第５の放射線画像情報読取装置は、本発明の第１の放射線画像情報読取装置に対してさらにＡ／Ｄ変換器の後段にメモリを備えたことに伴ってメモリの出力信号を検出する第４の検出手段を備え、このメモリの正常または異常の判定を、上記本発明の第１の放射線画像情報読取装置と同様に、第３の検出手段による検出結果と第４の検出手段の検出結果とに基づいて判定手段が判定することができるものである。
【００３１】
本発明の第２の放射線画像情報読取装置によれば、基準電圧入力手段によりＡ／Ｄ変換器に基準となる電圧を入力したときの最終的な出力値である検出手段による検出結果が予め想定された出力値であればＡ／Ｄ変換器は正常であり、想定された出力値でなければＡ／Ｄ変換器は異常であると判定手段により判定することができる。またＡ／Ｄ変換器が正常である場合において、基準電流入力手段によりログアンプに基準となる電圧を入力したときの最終的な出力値である検出手段による検出結果が予め想定された出力値であればログアンプは正常であり、想定された出力値でなければログアンプは異常であると判定手段により判定することができる。なおＡ／Ｄ変換器が異常である場合には、検出手段による検出結果はＡ／Ｄ変換器の異常によるものかログアンプの異常によるものかを判定することは難しいため、Ａ／Ｄ変換器単独の検出結果に基づいて異常と判定されたときは予め正常なものに交換しておく必要がある。さらにＡ／Ｄ変換器およびログアンプが正常である場合において、基準光入力手段により光電変換手段に基準となる光を入力したときの最終的な出力値である検出手段による検出結果が予め想定された出力値であれば光電変換手段は正常であり、想定された出力値でなければ光電変換手段は異常であると判定手段により判定することができる。なおＡ／Ｄ変換器またはログアンプが異常である場合には、検出手段による検出結果はＡ／Ｄ変換器の異常によるものかログアンプの異常によるものか光電変換手段の異常によるものかを判定することは難しいため、Ａ／Ｄ変換器単独の検出結果およびＡ／Ｄ変換器とログアンプとを直列に接続したときの検出結果に基づいて異常と判定されたときは予めこれらを正常なものに交換しておく必要がある。
【００３２】
本発明の第３の放射線画像情報読取装置は、Ａ／Ｄ変換器からの最終的な出力値を画像再生手段により可視画像として再生することができるため、基準電圧入力手段によりＡ／Ｄ変換器に基準となる電圧を入力したときの画像再生手段により再生される可視画像が予め想定された可視画像として再生されればＡ／Ｄ変換器は正常であり、想定された可視画像でなければＡ／Ｄ変換器は異常であると、医師等の再生可視画像観察者は判定することができる。またＡ／Ｄ変換器が正常である場合において、基準電流入力手段によりログアンプに基準となる電圧を入力したときの再生可視画像が予め想定された可視画像であればログアンプは正常であり、想定された可視画像でなければログアンプは異常であると判定することができる。なおＡ／Ｄ変換器が異常である場合には、可視画像からは、Ａ／Ｄ変換器の異常かログアンプの異常かを判定することは難しいため、Ａ／Ｄ変換器についての判定において異常と判定されたときは予め正常なものに交換しておく必要がある。さらにＡ／Ｄ変換器およびログアンプが正常である場合において、基準光入力手段により光電変換手段に基準となる光を入力したときの可視画像が予め想定された可視画像であれば光電変換手段は正常であり、想定された可視画像でなければ光電変換手段は異常であると判定することができる。なおＡ／Ｄ変換器またはログアンプが異常である場合には、検出手段による検出結果はＡ／Ｄ変換器の異常によるものかログアンプの異常によるものか光電変換手段の異常によるものかを判定することは難しいため、Ａ／Ｄ変換器単独の判定結果およびＡ／Ｄ変換器とログアンプとを直列に接続したときの判定結果に基づいて異常と判定されたときは予めこれらを正常なものに交換しておく必要がある。
【００３３】
本発明の第６の放射線画像情報読取装置は、本発明の第２の放射線画像情報読取装置に対してさらにＡ／Ｄ変換器の後段にメモリを備えたことに伴ってメモリに基準となる信号を入力する基準信号入力手段を備え、このメモリの正常または異常の判定を、上記本発明の第２の放射線画像情報読取装置と同様に、メモリに基準信号入力手段によって基準信号を入力しその出力値を検出手段により検出し、出力値が予め想定された値であるときはメモリは正常であり、予め想定された値でないときはメモリは異常であると判定手段により判定することができる。なお、このメモリの判定はＡ／Ｄ変換器の判定に先だって行なうものである。
【００３４】
本発明の第７の放射線画像情報読取装置は、本発明の第３の放射線画像情報読取装置に対してさらにＡ／Ｄ変換器の後段にメモリを備えたことに伴ってメモリに基準となる信号を入力する基準信号入力手段を備え、このメモリの正常または異常の判定を、上記本発明の第３の放射線画像情報読取装置と同様に、メモリに基準信号入力手段によって基準信号を入力しその出力値に基づいて画像再生手段に可視画像を再生し、可視画像を観察した医師等の観察者に、その可視画像が予め想定された画像であるときはメモリは正常であり、予め想定された画像でないときはメモリは異常であると判定することができる。なお、このメモリの判定はＡ／Ｄ変換器の判定に先だって行なうものである。
【００３５】
本発明の第４の放射線画像情報読取装置は、上記本発明の第１の放射線画像情報読取装置と第２の放射線画像情報読取装置とを組み合わせた構成であり、基準光入力手段により光電変換手段に基準光を入力し、光電変換手段の出力値を第１の検出手段により検出し、この第１の検出手段による検出結果が予め想定された値であれば光電変換手段は正常であり、想定された値でなければ光電変換手段は異常であると判定手段により判定することができる。同様に、基準電流入力手段によりログアンプに基準電流を入力し、ログアンプの出力値を第２の検出手段により検出し、この第２の検出手段による検出結果が予め想定された値であればログアンプは正常であり、想定された値でなければログアンプは異常であると判定手段により判定することができ、基準電圧入力手段によりＡ／Ｄ変換器に基準電流を入力し、Ａ／Ｄ変換器の出力値を第３の検出手段により検出し、この第３の検出手段による検出結果が予め想定された値であればＡ／Ｄ変換器は正常であり、想定された値でなければＡ／Ｄ変換器は異常であると判定手段により判定することができる。
【００３６】
本発明の第８の放射線画像情報読取装置は、本発明の第４の放射線画像情報読取装置に対してさらにＡ／Ｄ変換器の後段にメモリを備えたことに伴ってメモリに基準となる信号を入力する基準信号入力手段と、メモリからの出力値を検出する第４の検出手段とを備え、このメモリの正常または異常の判定を、上記本発明の第４の放射線画像情報読取装置と同様に、メモリに基準信号入力手段によって基準信号を入力しその出力値を第４の検出手段により検出し、出力値が予め想定された値であるときはメモリは正常であり、予め想定された値でないときはメモリは異常であると判定手段により判定することができる。
【００３７】
【発明の実施の形態】
以下、本発明の放射線画像情報読取装置の具体的な実施の形態について、図面を用いて説明する。
【００３８】
図１は本発明の第１の放射線画像情報読取装置の一実施形態の概略構成を示すブロック図である。図示の放射線画像情報読取装置は、図示しないモータにより回転せしめられるエンドレスベルト19上に蓄積性蛍光体シート（以下、シートという）60が配置され、シート60の上方には、シート60を励起するレーザ光Ｌを発するレーザ光源11と、そのレーザ光Ｌを反射偏向する回転多面鏡13と、この回転多面鏡13を回転させるモータ12と、回転多面鏡13で反射偏向されたレーザ光Ｌをシート60上に収束し、かつ等速度で走査させる走査レンズ14が配されている。
【００３９】
さらに、前記レーザ光Ｌが走査されるシート60の直上には、そのレーザ光Ｌによる励起でシート60の上面から発せられる輝尽発光光Ｍを上方より集光する光ガイド15が近接して配置されている。光ガイド15には集光した輝尽発光光Ｍを光電的に検出してアナログ画像信号ｙに変換するフォトマルチプライヤ（光電子増倍管）16が接続されている。
【００４０】
また、フォトマルチプライヤ16には対数増幅器21が接続され、対数増幅器21はアナログ画像信号ｙをログ変換して対数化画像信号ｑを出力する。対数増幅器21にはさらにアナログ／デジタル変換回路（以下、Ａ／Ｄ変換回路という）22が接続され、このＡ／Ｄ変換回路22により対数化画像信号ｑは所定のサンプリング周期Ｔでサンプリングされ、デジタル画像データＱに変換される。そしてこのデジタル画像データＱは出力され、必要に応じて画像処理装置により画像処理が施されたうえでディスプレイ装置やＬＰ（レーザープリンター）等により、その画像データが表す可視像が再生されて、診断に供される。
【００４１】
さらにこの放射線画像情報読取装置は、光ガイド15を介してフォトマルチプライヤ16に基準光量の光Ｍ０を入力する基準光入力手段31と、フォトマルチプライヤ16による光電変換後のアナログ画像信号ｙ０を検出する第１の検出手段41と、対数増幅器21により対数変換された対数化画像信号ｑ０を検出する第２の検出手段42と、Ａ／Ｄ変換回路22によりデジタル変換されたデジタル画像データＱ０を検出する第３の検出手段43と、基準光入力手段31によりフォトマルチプライヤ16に基準光量の光Ｍ０を入力したときの、第１の検出手段41、第２の検出手段42および第３の検出手段43による検出結果に基づいて、フォトマルチプライヤ16、対数増幅器21またはＡ／Ｄ変換回路22のうち故障の機器を判定する判定手段50とを備えている。
【００４２】
次に本実施形態の放射線画像情報読取装置の作用について説明する。
【００４３】
放射線画像情報の蓄積記録された蓄積性蛍光体シート60は、エンドレスベルト19上の所定の位置にセットされる。この所定位置にセットされたシート60は、エンドレスベルト19により、矢印Ｙ方向に搬送（副走査）される。
【００４４】
一方、レーザ光源11から発せられたレーザー光Ｌは、モータ12により駆動され矢印方向に高速回転する回転多面鏡13によって反射偏向され、この偏向されたレーザー光Ｌは走査レンズ14によりシート60の表面上で収束され、かつ等速度で走査されて、このシート60の表面を矢印Ｘ方向に主走査する。レーザー光Ｌの主走査とシート60の副走査とにより、シート60は全面に亘ってレーザー光Ｌが照射されることになる。
【００４５】
シート60を照射したレーザー光Ｌはシート60の蓄積性蛍光体を励起し、シート60に蓄積記録されている放射線画像情報に応じた輝尽発光光Ｍを発光せしめる。
【００４６】
シート60から発光した輝尽発光光Ｍはシート60の上面に近接して配された光ガイド15によってフォトマルチプライヤ16に導かれ、フォトマルチプライヤ16によって光電的に検出される。光ガイド15はアクリル板等の導光性材料を成形して作られたものであり、直線状をなす入射端面が蓄積性蛍光体シート60上の主走査線に沿って延びるように配され、円環状に形成された出射端面に上記フォトマルチプライヤ16の受光面が結合されている。上記入射端面から光ガイド15内に入射した輝尽発光光Ｍは、該光ガイド15の内部を全反射を繰り返して進み、出射端面から出射してフォトマルチプライヤ16に受光され、放射線画像情報を表わす輝尽発光光Ｍの光量ｐがフォトマルチプライヤ16によってアナログ画像信号ｙに変換される。
【００４７】
フォトマルチプライヤ16から出力されたアナログ信号ｙは対数増幅器21で対数的に増幅されて、対数化画像信号ｑに変換される。
【００４８】
このように対数増幅された対数化画像信号ｑはＡ／Ｄ変換回路22に入力され、Ａ／Ｄ変換回路22はレーザ光Ｌの走査に同期してこの対数化画像信号ｑを所定のサンプリング間隔でサンプリングし量子化により画素ごとのデジタル画像データＱに変換し、これを画像再生装置に出力する。
【００４９】
ここで本実施形態の放射線画像情報読取装置の構成要素に故障があり、出力されたデジタル画像データにより再生された可視像に異常があった場合の、自己故障診断について説明する。
【００５０】
まず、基準光入力手段31から基準光量の光（ＬＥＤ等）が発せられ、この基準光Ｍ０は光ガイド15を介してフォトマルチプライヤ16に入力される。フォトマルチプライヤ16は入力された基準光Ｍ０を光電変換して対応する画像信号ｙ０を出力する。この基準光Ｍ０に対応する画像信号ｙ０は第１の検出手段41に検出され、判定手段50に入力される。ここで判定手段50には、フォトマルチプライヤ16による光電変換の変換テーブルが予め記憶されており、基準光Ｍ０の入力に対する正常時の出力値がこのテーブルにしたがって求められ、この出力値と実際に第１の検出手段41により検出された画像信号ｙ０とを比較し、略一致したとき（テーブルに基づく計算値を基準として例えば±５％の範囲内）はフォトマルチプライヤ16を正常と判定し、全く一致しないとき（例えば上記±５％の範囲外）はフォトマルチプライヤ16を異常と判定する。
【００５１】
さらにこの画像信号ｙ０は対数増幅器21で対数的に増幅されて、対数化画像信号ｑ０が出力される。この画像信号ｙ０に対応する対数化画像信号ｑ０は第２の検出手段42に検出され、判定手段50に入力される。ここで判定手段50には、対数増幅器21による対数増幅の変換テーブルが予め記憶されており、入力画像信号ｙ０に対する正常時の出力値がこのテーブルにしたがって求められ、この出力値と実際に第２の検出手段42により検出された対数化画像信号ｑ０とを比較し、略一致したとき（テーブルに基づく計算値を基準として例えば±５％の範囲内）は対数増幅器21を正常と判定し、全く一致しないとき（例えば上記±５％の範囲外）は対数増幅器21を異常と判定する。
【００５２】
さらにまたこの対数化画像信号ｑ０はＡ／Ｄ変換回路22でデジタル画像データＱ０に変換される。この対数化画像信号ｑ０に対応するデジタル画像データＱ０は第３の検出手段43に検出され、判定手段50に入力される。ここで判定手段50には、Ａ／Ｄ変換回路22によるＡ／Ｄ変換の変換テーブルが予め記憶されており、入力された対数化画像信号ｑ０に対する正常時の出力値がこのテーブルにしたがって求められ、この出力値と実際に第３の検出手段43により検出されたデジタル画像データＱ０とを比較し、略一致したとき（テーブルに基づく計算値を基準として例えば±５％の範囲内）はＡ／Ｄ変換回路22を正常と判定し、全く一致しないとき（例えば上記±５％の範囲外）はＡ／Ｄ変換回路22を異常と判定する。
【００５３】
このように本実施形態の放射線画像情報読取装置によれば、出力されたデジタル画像データが異常である場合においても、この放射線画像情報読取装置を構成する主な構成要素たるフォトマルチプライヤ16、対数増幅器21またはＡ／Ｄ変換回路22のうち、故障している要素を容易に特定することができ、早急な復旧を図るうえ非常に有用である。
【００５４】
なお本実施形態の放射線画像情報読取装置は、Ａ／Ｄ変換回路22からの出力であるデジタル画像データＱを時系列的に順次、画像再生装置に出力する構成を採っているが、このデジタル画像データＱを一旦メモリに格納してから、すなわち画像全体のデジタル画像データがＡ／Ｄ変換回路22から出力されてから、これらを一時に出力するように構成してもよく、その場合はＡ／Ｄ変換回路22の後段にメモリ23を設けた構成を採ればよい。そしてこのような構成を採用した場合は、図２にその主要部を示すように、メモリ23の出力信号を検出する第４の検出手段44を備え、このメモリ23の正常または異常の判定を、第３の検出手段43による検出結果と第４の検出手段44の検出結果とに基づいて判定手段50が判定すればよい。
【００５５】
図３は本発明の第２の放射線画像情報読取装置の一実施形態の主要部の構成を示すブロック図である。
【００５６】
図示の放射線画像情報読取装置、図１に示した実施形態の放射線画像情報読取装置とは反対に、フォトマルチプライヤ16、対数増幅器21およびＡ／Ｄ変換回路22の出力をそれぞれ検出するのではなく、これらの要素に対してそれぞれ基準光Ｍ０、基準電流ｙ０または基準電圧ｑ０を入力する基準光入力手段31、基準電流入力手段32および基準電圧入力手段33を備えて、各要素にそれぞれの基準となる光、電流またが電圧を入力し、最終的な出力値となるＡ／Ｄ変換回路22からの出力値をデジタル画像データ検出手段40により検出することによって、異常の構成要素を判定手段50により判定するものである。
【００５７】
まず、基準電圧入力手段33によりＡ／Ｄ変換回路22に基準電圧ｑ０が入力される。入力された基準電圧ｑ０はＡ／Ｄ変換回路22でデジタル画像データに変換される。この基準電圧ｑ０に対応するデジタル画像データはデジタル画像データ検出手段40に検出され、判定手段50に入力される。ここで判定手段50には、Ａ／Ｄ変換回路22によるＡ／Ｄ変換の変換テーブルが予め記憶されており、入力された基準電圧ｑ０に対する正常時の出力値がこのテーブルにしたがって求められ、この出力値と実際にデジタル画像データ検出手段40により検出されたデジタル画像データとを比較し、略一致したとき（テーブルに基づく計算値を基準として例えば±５％の範囲内）はＡ／Ｄ変換回路22を正常と判定し、全く一致しないとき（例えば上記±５％の範囲外）はＡ／Ｄ変換回路22を異常と判定する。
【００５８】
なおここでＡ／Ｄ変換回路22が異常と判定された場合は、Ａ／Ｄ変換回路22を正常なものに交換した後に、基準電流入力手段32により対数増幅器21に基準電流ｙ０を入力する。入力された基準電流ｙ０は対数増幅器21により対数的に増幅されて、対数化画像信号が出力される。この対数化画像信号はさらにＡ／Ｄ変換回路22に入力され、Ａ／Ｄ変換回路22により対応するデジタル画像データに変換される。この変換されたデジタル画像データはデジタル画像データ検出手段40に検出され、判定手段50に入力される。ここで判定手段50には、対数増幅器21による対数変換の変換テーブルが予め記憶されており、入力された基準電流ｙ０に対する正常時の出力値がこのテーブルにしたがって求められ、さらに、この出力値がＡ／Ｄ変換回路22により変換された後の値が前述したＡ／Ｄ変換の変換テーブルにしたがって求められ、この求められた値と実際にデジタル画像データ検出手段40により検出されたデジタル画像データとを比較し、略一致したとき（テーブルに基づく計算値を基準として例えば±５％の範囲内）は対数増幅器21を正常と判定し、全く一致しないとき（例えば上記±５％の範囲外）は対数増幅器21を異常と判定する。
【００５９】
ここで対数増幅器21が異常と判定された場合は、対数増幅器21を正常なものに交換した後に、基準光入力手段31によりフォトマルチプライヤ16に基準光Ｍ０を入力し、上記と同様にして判定手段50にフォトマルチプライヤ16による光電変換の変換テーブルを予め記憶させておくことにより、フォトマルチプライヤ16の正常または異常を判定することができる。
【００６０】
このように本実施形態の放射線画像情報読取装置によれば、出力されたデジタル画像データが異常である場合においても、この放射線画像情報読取装置を構成する主な構成要素たるフォトマルチプライヤ16、対数増幅器21またはＡ／Ｄ変換回路22のうち、故障している要素を容易に特定することができ、早急な復旧を図るうえ非常に有用である。
【００６１】
なお本実施形態の放射線画像情報読取装置は、Ａ／Ｄ変換回路22からの出力であるデジタル画像データＱを時系列的に順次、画像再生装置に出力する構成を採っているが、このデジタル画像データＱを一旦メモリに格納してから、これらを一時に出力するように構成してもよく、その場合はＡ／Ｄ変換回路22の後段にメモリ23を設けた構成を採ればよい。そしてこのような構成を採用した場合は、図４にその主要部を示すように、メモリ23に基準となる画像信号を入力する基準信号入力手段34を備え、この基準信号入力手段34により基準信号をメモリ23に入力し、そのメモリ23の出力をデジタル画像データ検出手段40により検出し、この検出したデジタル画像データと、入力した基準信号に基づいて判定手段50の内部で算出された値とを判定手段50により比較し、これらが略一致したときはメモリ23を正常と判定し、全く一致しないときはメモリ23を異常と判定することができる。
【００６２】
図５は本発明の第３の放射線画像情報読取装置の一実施形態の主要部の構成を示すブロック図である。
【００６３】
図示の放射線画像情報読取装置は、図３に示した実施形態の放射線画像情報読取装置に対して、画像データ検出手段40および判定手段50に代えて、最終的な出力値となるＡ／Ｄ変換回路22からの出力値であるデジタル画像データを可視画像として表示するＣＲＴ70およびこのデジタル画像データをＣＲＴ70に表示するための所定の信号処理を施す画像処理手段80を備えた構成であり、図３に示した実施形態の画像情報読取装置が数値データに基づいて自動的に故障の機器を判定するのに対し、本実施形態の画像情報読取装置は、上記数値データに基づく可視画像を表示し、この可視画像を観察した医師等がその可視画像の様子に基づいて故障機器を判定できるようにしたものである。
【００６４】
まず、基準電圧入力手段33によりＡ／Ｄ変回路22に基準電圧ｑ０が入力される。入力された基準電圧ｑ０はＡ／Ｄ変換回路22でデジタル画像データＱ０に変換される。この基準電圧ｑ０に対応するデジタル画像データＱ０は画像処理手段80に入力され、予め定められた所定の階調処理が施され、この画像処理後の処理済み画像データＱ０′がＣＲＴ70に入力される。ここでＣＲＴ70には画像データＱ０′に応じた可視画像が表示される。
【００６５】
ここで医師や放射線撮影技師等はＣＲＴ70に表示された可視画像を観察して、その画像が、基準電圧ｑ０が付与されたときに表示されるべき本来の画像と同一または実質的に同一視できる画像か否かの判定を行う。
【００６６】
この判定が「同一」であれば、Ａ／Ｄ変換回路22は正常であると判定することができ、「同一」でなければＡ／Ｄ変換回路22は故障（異常）であると判定することができる。
【００６７】
なおここでＡ／Ｄ変換回路22を異常と判定した場合は、Ａ／Ｄ変換回路22を正常なものに交換した後に、Ａ／Ｄ変換回路22を正常と判定した場合はそのまま続けて、基準電流入力手段32により対数増幅器21に基準電流ｙ０を入力する。入力された基準電流ｙ０は対数増幅器21により対数的に増幅されて、対数化画像信号が出力される。この対数化画像信号はさらにＡ／Ｄ変換回路22に入力され、Ａ／Ｄ変換回路22により対応するデジタル画像データに変換される。この変換されたデジタル画像データは前述したのと同様に、画像処理手段80により一定の階調処理が施されてＣＲＴ70に出力される。
【００６８】
ここで前述と同様に医師等がＣＲＴ70に表示された可視画像を観察し、この観察した画像について前述と同様に判定を行うことにより、対数増幅器21の正常または異常を判定することができる。
【００６９】
以下、同様に、フォトマルチプライヤ16の正常または異常も、医師等が可視画像に基づいて容易に判定することができる。
【００７０】
このように本実施形態の放射線画像情報読取装置によれば、出力されたデジタル画像データが異常である場合においても、この放射線画像情報読取装置を構成する主な構成要素たるフォトマルチプライヤ16、対数増幅器21またはＡ／Ｄ変換回路22のうち故障している要素を、医師等が容易に判定できるような可視画像をＣＲＴ70に表示することができ、故障からの早急な復旧を図るうえ非常に有用である。
【００７１】
なお本実施形態の放射線画像情報読取装置は、Ａ／Ｄ変換回路22からの出力であるデジタル画像データＱを時系列的に順次、画像再生装置に出力する構成を採っているが、このデジタル画像データＱを一旦メモリに格納してから、これらを一時に出力するように構成してもよく、その場合はＡ／Ｄ変換回路22の後段にメモリ23を設けた構成を採ればよい。そしてこのような構成を採用した場合は、図６にその主要部を示すように、メモリ23に基準となる画像信号Ｑ０を入力する基準信号入力手段34を備え、この基準信号入力手段34により基準信号をメモリ23に入力し、そのメモリ23の出力に基づいて画像処理手段80による画像処理、ＣＲＴ70による画像表示を行い、その表示された可視画像を観察して、メモリ23の良否を判定することができる。
【００７２】
図７は本発明の第４の放射線画像情報読取装置の一実施形態の主要部の構成を示すブロック図である。
【００７３】
図示の放射線画像情報読取装置は、既述の本発明の第１の放射線画像情報読取装置と第２の放射線画像情報読取装置の両実施形態を組み合わせた構成である本発明の第４の放射線画像情報読取装置の一実施形態を示す図である。
【００７４】
すなわち、図１に示した読取装置に対して、フォトマルチプライヤ16、対数増幅器21およびＡ／Ｄ変換回路22にそれぞれ基準光Ｍ０、基準電流ｙ０または基準電圧ｑ０を入力する基準光入力手段31、基準電流入力手段32および基準電圧入力手段33をさらに備えた構成であり、フォトマルチプライヤ16、対数増幅器21およびＡ／Ｄ変換回路22にそれぞれ基準となる光、電流またが電圧を入力し、フォトマルチプライヤ16の出力値、対数増幅器21の出力値およびＡ／Ｄ変換回路22の出力値をそれぞれ第１の検出手段41、第２の検出手段42、第３の検出手段43により検出することによって、異常の構成要素を判定手段50により判定するものである。この実施形態の作用については前述した２つの実施形態の組合わせによるものであるため、その説明を省略する。
【００７５】
図８に示した実施形態は、図２、図４又は図６に示した実施形態と同様に、図７に示した実施形態に対してさらにメモリ23を加え、メモリ23を加えたことに伴うメモリ23に基準となる画像信号を入力する基準信号入力手段34とメモリ23の出力信号を検出する第４の検出手段44とを備え、このメモリ23の正常または異常の判定を、入力された基準となる画像信号と第４の検出手段44による検出結果とに基づいて判定手段50が判定すればよい。
【図面の簡単な説明】
【図１】本発明の第１の放射線画像情報読取装置の一実施形態の構成を示す図
【図２】本発明の第５の放射線画像情報読取装置の一実施形態の要部構成を示す図
【図３】本発明の第２の放射線画像情報読取装置の一実施形態の要部構成を示す図
【図４】本発明の第６の放射線画像情報読取装置の一実施形態の要部構成を示す図
【図５】本発明の第３の放射線画像情報読取装置の一実施形態の要部構成を示す図
【図６】本発明の第７の放射線画像情報読取装置の一実施形態の要部構成を示す図
【図７】本発明の第４の放射線画像情報読取装置の一実施形態の要部構成を示す図
【図８】本発明の第８の放射線画像情報読取装置の一実施形態の要部構成を示す図
【符号の説明】
15    光ガイド
16    フォトマルチプライヤ
21    対数増幅器（ログアンプ）
22    Ａ／Ｄ変換回路
31    基準光入力手段
41    第１の検出手段
42    第２の検出手段
43    第３の検出手段
50    判定手段
60    蓄積性蛍光体シート
70    ＣＲＴ
80    画像処理手段
Ｍ    輝尽発光光
ｙ    アナログ画像信号（電流）
ｑ    対数化画像信号（電圧）
Ｑ    デジタル画像データ
【図１】
0003824739.tif 000002
【図２】
0003824739.tif 000003
【図３】
0003824739.tif 000004
【図４】
0003824739.tif 000005
【図５】
0003824739.tif 000006
【図６】
0003824739.tif 000007
【図７】
0003824739.tif 000008
【図８】
0003824739.tif 000009